(57)【要約】【課題】お墓の見栄えを損なわずかつ水を運ぶ手間をかけずに、お墓で容易に水を利用できる墓用親柱を提供する。【解決手段】飾り石１１が、下端より上側が球状で、上部から下端にかけて水が伝わる形状を有している。柱材１２が、側壁２２と天井部２３とを有して内部に取水室２４を有している。柱材１２は、天井部２３に貫通する通水孔２９を有し、天井部２３の上に飾り石１１を配置している。柱材１２は、飾り石１１の表面を伝わった水を通水孔２９に導く集水路３０を、天井部２３と飾り石１１との間に有している。濾過器１５が、通水孔２９の下方で取水室２４に設けられている。貯水槽１４が、底部に給水孔３４を有し、濾過器１５の下方で給水空間３２を下方に形成して、取水室２４に設けられている。蛇口１６が、給水孔３４に接続して給水空間３２に設けられている。開閉扉１７が、給水空間３２を開閉可能に、側壁２２に設けられている。【選択図】図２
2006316555.tif 000002
【特許請求の範囲】
【請求項１】
飾り石と柱材と濾過器と貯水槽と蛇口と開閉扉とを有し、
前記飾り石は下端が窄まり、上部から下端にかけて水が伝わる形状を有し、
前記柱材は側壁と天井部とを有して内部に取水室を有し、前記天井部に貫通する通水孔を有し、前記天井部の上に前記飾り石を配置し、前記飾り石の表面を伝わった水を前記通水孔に導く集水路を前記天井部と前記飾り石との間に有し、
前記濾過器は前記通水孔の下方で前記取水室に設けられ、
前記貯水槽は底部に給水孔を有し、前記濾過器の下方で給水空間を下方に形成して前記取水室に設けられ、
前記蛇口は前記給水孔に接続して前記給水空間に設けられ、
前記開閉扉は前記給水空間を開閉可能に前記側壁に設けられていることを、
特徴とする墓用親柱。
【請求項２】
支持板を有し、
前記支持板は前記給水孔に接続する貫通孔を有し前記給水空間を下方に形成して前記開閉扉から取出し可能に設けられ、
前記側壁は内面に前記支持板を支持する支持部を有して内面に断熱材が設けられ、
前記貯水槽は上部に排水孔を有し前記支持板の上で支持され、
前記蛇口は前記貫通孔を介して前記給水孔に接続しており、
前記柱材は前記側壁の下部に水抜き孔を有し、前記排水孔と前記水抜き孔とに連通するオーバーフロー管を有し、
前記飾り石は下端より上側が球状であることを、
特徴とする請求項１記載の墓用親柱。
【発明の詳細な説明】
【技術分野】
【０００１】
本発明は、墓用親柱に関する。
【背景技術】
【０００２】
お墓参りには、お墓を洗ったり花立てに水を入れたりするために、水が必要である。お墓の近くに水道がある場合には、その水道の水を利用できるが、水道が遠い場合や近くにない場合には、水を入れたタンクを持参するか、遠くの水道からバケツで運ばなければならず、不便であった。特に、お年寄りには、過重な労力となり、腰などを痛めるおそれもあった。そこで従来の技術として、水を運ぶ手間を省くため、貯めた雨水を花立てに給水する花立ての給水装置がある（特許文献１参照）。
【０００３】
【特許文献１】特開２００４−６０３１５号公報
【発明の開示】
【発明が解決しようとする課題】
【０００４】
しかしながら、特許文献１記載の花立ての給水装置では、雨水を花立ての水にしか利用できないため、お墓を洗うときには水を持参するか、運ばなければならないという課題があった。また、お墓のそばに雨水の貯水槽を設置するため、見栄えが悪いという課題もあった。
【０００５】
本発明は、このような課題に着目してなされたもので、お墓の見栄えを損なわずかつ水を運ぶ手間をかけずに、お墓で容易に水を利用できる墓用親柱を提供することを目的としている。
【課題を解決するための手段】
【０００６】
上記目的を達成するために、本発明に係る墓用親柱は、飾り石と柱材と濾過器と貯水槽と蛇口と開閉扉とを有し、前記飾り石は下端が窄まり、上部から下端にかけて水が伝わる形状を有し、前記柱材は側壁と天井部とを有して内部に取水室を有し、前記天井部に貫通する通水孔を有し、前記天井部の上に前記飾り石を配置し、前記飾り石の表面を伝わった水を前記通水孔に導く集水路を前記天井部と前記飾り石との間に有し、前記濾過器は前記通水孔の下方で前記取水室に設けられ、前記貯水槽は底部に給水孔を有し、前記濾過器の下方で給水空間を下方に形成して前記取水室に設けられ、前記蛇口は前記給水孔に接続して前記給水空間に設けられ、前記開閉扉は前記給水空間を開閉可能に前記側壁に設けられていることを、特徴とする。
【０００７】
本発明に係る墓用親柱では、飾り石が上部から下端にかけて水が伝わる形状を有しているため、飾り石に当たった雨水が飾り石の表面を伝わり、柱材の天井部と飾り石との間の集水路を通って、柱材の天井部に貫通する通水孔に導かれる。さらにその雨水は、通水孔を通って柱材の内部の取水室に入り、通水孔の下方の濾過器により濾過されて、下方の貯水槽に貯められる。
【０００８】
貯水槽に溜まった水を利用する場合、開閉扉を開けて貯水槽の下方の給水空間にバケツなどの容器を置く。蛇口を開いて貯水槽に溜まった水を出し、容器に汲む。容器の水で、お墓を洗ったり花立てに水を入れたりすることができる。こうして、水を運ぶ手間をかけずに、お墓で容易に水を利用できる。水は、飾り石で集められ、柱材の内部の貯水槽に貯められるため、水を集める部材や貯水槽が目立たず、お墓の見栄えを損なわない。
【０００９】
本発明に係る墓用親柱は、支持板を有し、前記支持板は前記給水孔に接続する貫通孔を有し前記給水空間を下方に形成して前記開閉扉から取出し可能に設けられ、前記側壁は内面に前記支持板を支持する支持部を有して内面に断熱材が設けられ、前記貯水槽は上部に排水孔を有し前記支持板の上で支持され、前記蛇口は前記貫通孔を介して前記給水孔に接続しており、前記柱材は前記側壁の下部に水抜き孔を有し、前記排水孔と前記水抜き孔とに連通するオーバーフロー管を有し、前記飾り石は下端より上側が球状であることが好ましい。
【００１０】
この構成では、支持板を開閉扉から取り出すことにより、貯水槽を開閉扉から取り出すことができ、貯水槽を洗って清潔に保つことができる。また、支持板および貯水槽を取り出すことにより、それらの保守が容易となり、取水室も洗いやすくなる。側壁の内面に断熱材が設けられているため、冬場の寒いときでも貯水槽の内部の水が凍りにくい。オーバーフロー管により、貯水槽の内部の水位を排水孔の位置より低く保つことができるため、雨水が貯水槽からあふれて取水室が水浸しになるのを防ぐことができる。飾り石は下端より上側が球状であるため、雨水がその表面を伝わりやすく、雨水を集水路から通水孔を通して貯水槽に集めやすい。
【発明の効果】
【００１１】
本発明によれば、お墓の見栄えを損なわずかつ水を運ぶ手間をかけずに、お墓で容易に水を利用できる墓用親柱を提供することができる。
【発明を実施するための最良の形態】
【００１２】
以下、図面に基づき、本発明の実施の形態について説明する。
図１および図２は、本発明の実施の形態の墓用親柱を示している。
図１および図２に示すように、墓用親柱１０は、墓の外柵１に設けられ、飾り石１１と柱材１２と支持板１３と貯水槽１４と濾過器１５と蛇口１６と開閉扉１７とオーバーフロー管１８とを有している。
【００１３】
図１および図２に示すように、飾り石１１は、下端１１ａより上側が球状で、下端１１ａが窄まって上側の球状部分からわずかに突出している。飾り石１１は、表面１１ｂを上部１１ｃから下端１１ａにかけて水が伝わる形状を有している。飾り石１１は、下端１１ａの下面に円形で平坦の設置面２１を有している。
【００１４】
図１および図２に示すように、柱材１２は、石製で、ほぼ四角柱状である。柱材１２は、側壁２２と天井部２３とを有して、内部に取水室２４を有している。側壁２２および天井部２３は、内面全体に板状の断熱材２５が貼り付けられている。側壁２２は、支持部２６と水抜き孔２７とを有している。支持部２６は、側壁２２の高さの中心付近に、内面から突出して設けられている。水抜き孔２７は、側壁２２の下部に貫通して設けられ、側壁２２の外側で水抜き管２７ａが接続されている。
【００１５】
天井部２３は、化粧部２８と通水孔２９と集水路３０とを有している。化粧部２８は、天井部２３の上部に設けられ、円板を径の大きい順に３段に積み重ねた形状を有し、角が丸みを帯びている。化粧部２８は、最上段の円板２８ａの中央部に設置用凹部３１を有している。設置用凹部３１は、円形で、底面３１ａが飾り石１１の設置面２１の径よりやや大きい径を有している。化粧部２８は、設置用凹部３１の底面３１ａよりその周囲が高くなっている。通水孔２９は、設置用凹部３１の底面３１ａの中心付近に貫通して設けられている。設置用凹部３１は、周囲から通水孔２９にかけて緩やかに傾斜している。集水路３０は、設置用凹部３１の底面３１ａに、その外周から通水孔２９まで溝状に伸びて設けられている。飾り石１１は、設置面２１で設置用凹部３１の底面３１ａの上に載せられている。柱材１２は、天井部２３と飾り石１１との間の集水路３０により、飾り石１１の表面１１ｂを伝わった水を通水孔２９に導くよう構成されている。
【００１６】
図２に示すように、支持板１３は、取水室２４を上下二つに分けるよう、取水室２４の内部で支持部２６により支持されている。支持板１３は、着脱可能に支持部２６の上に設けられ、下方に給水空間３２を形成している。支持板１３は、その厚さを貫通して設けられた貫通孔３３を有している。
【００１７】
図２に示すように、貯水槽１４は、支持板１３の上で支持されて、取水室２４の内部に設けられている。貯水槽１４は、上部が開口し、支持板１３の上で取水室２４の内部にちょうど収まる大きさを有している。貯水槽１４は、底部に、支持板１３の貫通孔３３に接続する給水孔３４を有している。貯水槽１４は、側面上部に排水孔３５を有している。また、貯水槽１４は、内部に水質浄化材３６を有している。
【００１８】
図２に示すように、濾過器１５は、二層構造の濾過フィルタから成っている。濾過器１５は、通水孔２９を通った雨水を濾過可能に、貯水槽１４の上部で通水孔２９の下方に設けられている。
蛇口１６は、給水空間３２に設けられ、貯水槽１４の内部から給水可能に、支持板１３の貫通孔３３を介して貯水槽１４の給水孔３４に接続している。
【００１９】
図１に示すように、開閉扉１７は、観音扉から成り、給水空間３２を開閉可能に、柱材１２の側壁２２に設けられている。開閉扉１７は、支持板１３や貯水槽１４を取出し可能に、取水室２４の幅いっぱいに開くことができる。
図２に示すように、オーバーフロー管１８は、側壁２２の断熱材２５の内部を通って、貯水槽１４の排水孔３５と側壁２２の水抜き孔２７とに連通するよう設けられている。
【００２０】
次に、作用について説明する。
墓用親柱１０では、飾り石１１が下端１１ａより上側が球状であるため、雨水がその表面１１ｂを伝わりやすい。このため、飾り石１１に当たった雨水が飾り石１１の表面１１ｂを伝わり、柱材１２の天井部２３と飾り石１１との間の集水路３０を通って、柱材１２の天井部２３に貫通する通水孔２９に導かれる。さらにその雨水は、通水孔２９を通って柱材１２の内部の取水室２４に入り、通水孔２９の下方の濾過器１５により濾過されて、下方の貯水槽１４に貯められる。このとき、化粧部２８が設置用凹部３１の底面３１ａよりその周囲が高くなっているため、飾り石１１を伝わった雨水を設置用凹部３１の内側に溜めて集水路３０に導くことができ、雨水を効率的に貯水槽１４に貯めることができる。貯水槽１４に貯められる水は濾過器１５で濾過されるため、貯水槽１４にはゴミなどが溜まりにくい。
【００２１】
貯水槽１４に溜まった水を利用する場合、開閉扉１７を開けて貯水槽１４の下方の給水空間３２にバケツなどの容器を置く。蛇口１６を開いて貯水槽１４に溜まった水を出し、容器に汲む。容器の水で、お墓を洗ったり花立てに水を入れたりすることができる。こうして、水を運ぶ手間をかけずに、お墓で容易に水を利用できる。水は、飾り石１１で集められ、柱材１２の内部の貯水槽１４に貯められるため、水を集める部材や貯水槽１４が目立たず、お墓の見栄えを損なわない。
【００２２】
墓用親柱１０は、支持板１３を開閉扉１７から取り出すことにより、貯水槽１４を開閉扉１７から取り出すことができ、貯水槽１４を洗って清潔に保つことができる。また、支持板１３および貯水槽１４を取り出すことにより、それらの保守が容易となり、取水室２４も洗いやすくなる。側壁２２の内面に断熱材２５が設けられているため、冬場の寒いときでも貯水槽１４の内部の水が凍りにくい。オーバーフロー管１８により、貯水槽１４の内部の水位を排水孔３５の位置より低く保つことができるため、雨水が貯水槽１４からあふれて取水室２４が水浸しになるのを防ぐことができる。
【図面の簡単な説明】
【００２３】
【図１】本発明の実施の形態の墓用親柱の正面図である。
【図２】図１に示す墓用親柱の断面図である。
【符号の説明】
【００２４】
１    外柵
１０  墓用親柱
１１  飾り石
１２  柱材
１３  支持板
１４  貯水槽
１５  濾過器
１６  蛇口
１７  開閉扉
１８  オーバーフロー管
２１  設置面
２２  側壁
２３  天井部
２４  取水室
２５  断熱材
２６  支持部
２７  水抜き孔
２８  化粧部
２９  通水孔
３０  集水路
３１  設置用凹部
３２  給水空間
３３  貫通孔
３４  給水孔
３５  排水孔
３６  水質浄化材
【図１】
2006316555.tif 000003
【図２】
2006316555.tif 000004